(57)【特許請求の範囲】
【請求項１】
背凭れと座部とを保持する保持手段を備え、前記背凭れの傾動と前記座部の移動とが連動する座席装置において、
前記背凭れが傾動する際に、後方に移動する前記背凭れの移動量を最も起立した基準位置から後方へ１３ｃｍの範囲以内に制限するとともに、前記背凭れと前記座部との相対姿勢の変化を前記基準位置における角度から６．６°の範囲以内に制限する、前記保持手段に設けられた制限手段を備え、
前記制限手段は、
前記背凭れを構成するシートバックフレームと前記座部を構成するボトムフレームとを連結してメインフレームを形成する連結手段、
および前記連結された前記シートバックフレームと前記ボトムフレームとのなす角度の変化を前記６．６°の範囲以内に制限して前記相対姿勢を維持するとともに、前記背凭れの傾動行程を限定して前記移動量を前記１３ｃｍの範囲以内に制限する複数のガイド孔が形成されたガイドフレームとを有し、
前記メインフレームないし前記連結手段は、前記ガイドフレームの複数のガイド孔にそれぞれ嵌入して前記複数のガイド孔内をスライド可能な複数の嵌入部を有し、該嵌入部は、前記ボトムフレームの両端部に固定された連結手段のうち、その前方の一端部と、後方に向って斜め上方に延び前記シートバックフレームの下端部の先端部が回動可能に連結された上端部と、前記シートバックフレームの下端部のうち前記先端部より上方の箇所に、それぞれ配し、
前記ガイドフレームは、その一端部から中間部分を経てもう一方の一端部まで上方に向って弧状の形状を成し、前記複数のガイド孔は、前記ガイドフレームの一端部からもう一方の一端部に亘り、前記複数の嵌入部にそれぞれ対応して、前記メインフレーム全体の変位態様を揺りかごの揺動のように弧状にガイドする形状に形成されたことを特徴とする座席装置。
【請求項２】
前記ガイドフレームは２つで１組をなし、前記メインフレームを両側から挟む位置に平行に配設されたことを特徴とする請求項１に記載の座席装置。
【請求項３】
前記複数のガイド孔は、前記背凭れが後方に傾動する際に、前記メインフレーム全体を前方に移動させることによって前記後方への前記背凭れの移動量を小さくするように構成したことを特徴とする請求項１または２に記載の座席装置。
【請求項４】
前記保持手段と前記メインフレームとに連結され、当該メインフレームを任意の位置から前記背凭れが最も起立したときの基準位置まで復元させるとともに任意の位置にて前記復元のロックが可能な復元手段を備えたことを特徴とする請求項１、２または３に記載の座席装置。
【請求項５】
前記復元手段は、日本人女性の体型パーセンタイル値５から日本人男性の体型パーセンタイル値９５までの範囲の着座者に対して前記復元およびロックが可能なことを特徴とする請求項４に記載の座席装置。
【請求項６】
前記ガイドフレームは、前記メインフレームの補強部材を兼ねることを特徴とする請求項１，２，３，４または５に記載の座席装置。
【発明の詳細な説明】
【技術分野】
【０００１】
本発明は、背凭れの傾動と座部の移動とが連動する座席装置、とりわけ航空機や車両等の乗物用の座席装置に関する。
【背景技術】
【０００２】
従来、航空機や車両等の乗物用の座席装置には、快適な座り心地を提供するためのリクライニング機構を備えたものがある。
【０００３】
このような座席装置では、着座者が背中で背凭れを後方に押すことにより、支点に保持されていた背凭れを後方にリクライニング可能としたものが一般的である。さらに、座部を前後にスライドさせるスライド機構が付加されたものもある。一般に、このような座席装置は、背凭れと座部とがリンク等で連結されており、リクラインするときの背凭れの動きに連動して座部が前後および上下に動くようになっている。このようなリクライニング機構により、座席装置は、着座者の着座姿勢を変えることを可能にしており、これによって着座者に身体の休息感やリラックス感を提供している。
【０００４】
ところが、乗物用の座席装置では座席を複数列に配置するので、リクライニングの際には、後方に移動した背凭れが後ろの座席装置に着座している乗客の居住空間を侵害してしまう。このため、後方への背凭れの移動量によっては、後席の乗客の居住空間への侵害が著しくなって乗客に不快感を与えることもある。
【０００５】
また、図１３に示すように、シートを後方にリクラインする際には背凭れの背当て面と座部の座面との成す角度が広がるように変化するために着座者の着衣が捲くれ上がったり、変化自体が不自然な動きであったりするので着座者は不快感を感じ易いという問題があった。さらに、人間工学的に見ると、骨盤が傾倒（回転）することになるので、着座時間が長くなると腰椎部の負担が大きくなって疲労が蓄積し、疲労感を感じるようになることもある。
【０００６】
また、上記のようにスライド機構が背凭れに連動して座部を前後上下にスライドさせる座席装置の場合には、背凭れの傾倒が大きくなるにしたがって背中で背凭れを押す力が入りにくくなり、力の弱い着座者や小柄で体重の軽い着座者にとっては使い勝手に問題があった。
【０００７】
上記のうち背凭れの動きに連動して座部が前後および上下に動く乗物用の座席装置で後方への背凭れの移動量を小さくしたものはなかなか見当たらない。乗物用以外の座席装置では、後方への背凭れの移動量を小さくすることを実現したものが提案されている（例えば、特許文献１参照）。
【０００８】
【特許文献１】国際公開番号  ＷＯ０１／６４０８０号公報
【発明の開示】
【発明が解決しようとする課題】
【０００９】
しかしながら、特許文献１に記載されたような座席装置にあっては、リクラインの際に起こる着座者の着衣の捲くれ上がりやリクライニング状態での着座時間が長くなった場合に生じる上記腰椎部の負担の問題が解消できない。
【００１０】
本発明は、以上のような従来技術が有する問題点に着目してなされたもので、リクライニング状態であっても背凭れによる後席の居住空間への侵害が少なく、着座時間が長くなっても安楽感を維持でき、リクラインの際に起こる着座者の着衣の捲くれ上がりがない座席装置を提供することを目的としている。
【００１１】
さらに、力の弱い着座者や小柄で体重の軽い着座者であっても容易にリクラインが可能な座席装置を提供することを目的としている。
【課題を解決するための手段】
【００１２】
前述した目的を達成するための本発明の要旨とするところは、以下の各項に存する。  
［１］背凭れ（２０）と座部（３０）とを保持する保持手段（６０）を備え、前記背凭れ（２０）の傾動と前記座部（３０）の移動とが連動する座席装置（１０）において、
前記背凭れ（２０）が傾動する際に、後方に移動する前記背凭れ（２０）の移動量を最も起立した基準位置から後方へ１３ｃｍの範囲以内に制限するとともに、前記背凭れ（２０）と前記座部（３０）との相対姿勢の変化を前記基準位置における角度から６．６°の範囲以内に制限する、前記保持手段（６０）に設けられた制限手段を備え、
前記制限手段は、
前記背凭れ（２０）を構成するシートバックフレーム（２００）と前記座部（３０）を構成するボトムフレーム（３００）とを連結してメインフレームを形成する連結手段（３１０）、
および前記連結された前記シートバックフレーム（２００）と前記ボトムフレーム（３００）とのなす角度の変化を前記６．６°の範囲以内に制限して前記相対姿勢を維持するとともに、前記背凭れ（２０）の傾動行程を限定して前記移動量を前記１３ｃｍの範囲以内に制限する複数のガイド孔（１０１，１０２，１０３）が形成されたガイドフレーム（１００）とを有し、
前記メインフレームないし前記連結手段（３１０）は、前記ガイドフレーム（１００）の複数のガイド孔（１０１，１０２，１０３）にそれぞれ嵌入して前記複数のガイド孔（１０１，１０２，１０３）内をスライド可能な複数の嵌入部（１３３，３１３，３２０）を有し、該嵌入部（１３３，３１３，３２０）は、前記ボトムフレーム（３００）の両端部に固定された連結手段（３１０）のうち、その前方の一端部と、後方に向って斜め上方に延び前記シートバックフレーム（２００）の下端部の先端部が回動可能に連結された上端部と、前記シートバックフレーム（２００）の下端部のうち前記先端部より上方の箇所に、それぞれ配し、
前記ガイドフレーム（１００）は、その一端部から中間部分を経てもう一方の一端部まで上方に向って弧状の形状を成し、前記複数のガイド孔（１０１，１０２，１０３）は、前記ガイドフレーム（１００）の一端部からもう一方の一端部に亘り、前記複数の嵌入部（１３３，３１３，３２０）にそれぞれ対応して、前記メインフレーム全体の変位態様を揺りかごの揺動のように弧状にガイドする形状に形成されたことを特徴とする座席装置（１０）。
【００１４】
［２］前記ガイドフレーム（１００）は２つで１組をなし、前記メインフレームを両側から挟む位置に平行に配設されたことを特徴とする［１］に記載の座席装置（１０）。
【００１６】
［３］前記複数のガイド孔（１０１，１０２，１０３）は、前記背凭れ（２０）が後方に傾動する際に、前記メインフレーム全体を前方に移動させることによって前記後方への前記背凭れ（２０）の移動量を小さくするように構成したことを特徴とする［１］または［２］に記載の座席装置（１０）。
【００１７】
［４］前記保持手段（６０）と前記メインフレームとに連結され、当該メインフレームを任意の位置から前記背凭れ（２０）が最も起立したときの基準位置まで復元させるとともに任意の位置にて前記復元のロックが可能な復元手段（１１０）を備えたことを特徴とする［１］，［２］、または［３］に記載の座席装置（１０）。
【００１８】
［５］前記復元手段（１１０）は、日本人女性の体型パーセンタイル値５から日本人男性の体型パーセンタイル値９５までの範囲の着座者に対して前記復元およびロックが可能なことを特徴とする［４］に記載の座席装置（１０）。
【００２０】
［６］前記ガイドフレーム（１００）は、前記メインフレームの補強部材を兼ねることを特徴とする［１］，［２］，［３］，［４］または［５］に記載の座席装置（１０）。
【００２１】
前記本発明は次のように作用する。  
本発明に係る座席装置（１０）によれば、リクライニングの際に、背凭れ（２０）が傾動し、これに連動して座部（３０）が移動する。
【００２２】
［１］の座席装置（１０）が備える保持手段（６０）は乗物の床に固定されている。この保持手段（６０）は背凭れ（２０）と座部（３０）とを保持している。背凭れ（２０）はその骨格となるシートバックフレーム（２００）を有しており、このシートバックフレーム（２００）を覆うようにクッション部材が装着されている。座部（３０）はその骨格となるボトムフレーム（３００）を有しており、このボトムフレーム（３００）を覆うようにクッション部材が装着されている。シートバックフレーム（２００）とボトムフレーム（３００）とは連結手段（３１０）によって連結され、一体のメインフレームとなっている。
【００２３】
保持手段（６０）は、これらシートバックフレーム（２００）とボトムフレーム（３００）とを保持することによって上記の背凭れ（２０）と座部（３０）を保持している。この保持手段（６０）に保持されたメインフレームは、背凭れ（２０）の通常の位置である背凭れ（２０）が最も起立したときの基準位置から、背凭れ（２０）が最も傾倒したときの最傾倒位置まで傾動できる。
【００２４】
リクライニングのために背凭れ（２０）を傾動させると、背凭れ（２０）が後方に向かって移動する。このときの移動量は制限手段によって所定量以内に制限されている。さらに、制限手段は、背凭れ（２０）が傾動する際に背凭れ（２０）と座部（３０）との相対姿勢を維持すべく、シートバックフレーム（２００）とボトムフレーム（３００）とのなす角度の変化を所定の角度範囲内に制限している。
【００２５】
上記の連結手段（３１０）は後述する２つで１組をなすガイドフレーム（１００）とともに制限手段を構成しており、連結手段（３１０）に連結されたシートバックフレーム（２００）とボトムフレーム（３００）とは連結部を中心にした回動が可能であり、それらの相対姿勢を変えることができる。ガイドフレーム（１００）は、複数の貫通孔であるガイド孔（１０１，１０２，１０３）が形成された板状のフレームであり、メインフレームを両側から挟む位置に平行に配設され、メインフレームの補強部材を兼ねている。
【００２６】
ガイド孔（１０１，１０２，１０３）は、連結されたシートバックフレーム（２００）とボトムフレーム（３００）とのなす角度の変化、したがって、背凭れ（２０）の背当て面と座部（３０）の座面との成す角度の変化を６．６°の範囲以内に制限する。これにより、シートバックフレーム（２００）とボトムフレーム（３００）との相対姿勢がほぼ維持される。また、ガイド孔（１０１，１０２，１０３）は、背凭れ（２０）の傾動行程を限定して背凭れ（２０）が後方に移動する移動量を１３ｃｍの範囲以内に制限する。この移動量は、シートバックフレーム（２００）とボトムフレーム（３００）とのなす角度の変化および傾動行程によって決まる。
【００２７】
メインフレームないし連結手段（３１０）には、ガイドフレーム（１００）の複数のガイド孔（１０１，１０２，１０３）にそれぞれ嵌入する嵌入部（１３３，３１３，３２０）が設けられている。これら嵌入部（１３３，３１３，３２０）は、前記ボトムフレーム（３００）の両端部に固定された連結手段（３１０）のうち、前方の一端部と、後方に向って斜め上方に延び前記シートバックフレーム（２００）の下端部の先端部が回動可能に連結された上端部と、前記シートバックフレーム（２００）の下端部のうち前記先端部より上方の箇所に、それぞれ配されている。背凭れ（２０）が傾動するときは、これら嵌入部（１３３，３１３，３２０）がガイド孔（１０１，１０２，１０３）にガイドされながらスライドする。これにより、後方への背凭れ（２０）の移動量を小さくできる。
【００２８】
また、背凭れ（２０）と座部（３０）との相対姿勢が維持されるので、背凭れ（２０）に着座者の着衣が引っ張られることがなく、着衣の捲くれ上がりが生じない。また、背凭れ（２０）と座部（３０）との相対姿勢が維持されることは、背凭れ（２０）をどのように傾倒しても、着座者の腰椎部に回転が生じないことになる。このため、背凭れ（２０）および座部（３０）に対する着座者の着座姿勢に変化が生じないので、腰椎部の回転に起因する腰椎部への負担が生じない。このため、着座者は安楽な姿勢のままで着座でき、着座時間が長時間になっても疲労の蓄積を防ぐことができる。
【００２９】
前記ガイドフレーム（１００）は、その一端部から中間部分を経てもう一方の一端部まで上方に向って弧状の形状を成し、複数のガイド孔（１０１，１０２，１０３）は、前記ガイドフレーム（１００）の一端部からもう一方の一端部に亘って設けられ、前記複数の嵌入部（１３３，３１３，３２０）にそれぞれ対応している。
上記の複数のガイド孔（１０１，１０２，１０３）の形状は、メインフレーム全体の変位態様を揺りかごの揺動のように弧状にガイドする形状に形成されている。したがって、リクライニングの際には、着座者が始めに背中を背凭れ（２０）に押し付けて背凭れ（２０）を傾動させる際にやや力を要するが、背凭れ（２０）の傾倒が大きくなるにしたがって体重が自然に背凭れ（２０）にかかるので、力の弱い着座者や小柄で体重の軽い着座者であっても比較的容易に背凭れ（２０）を傾動させることができる。
【００３０】
［６］の座席装置（１０）が備える復元手段（１１０）は、例えば、油圧シリンダーを有して成り、一端が保持手段（６０）に連結されており、もう一端がボトムフレーム（３００）に連結されている。復元手段（１１０）は、メインフレームが上記の基準位置以外の任意の位置にあるときは、メインフレームを基準位置まで復元させるように設定されている。また、復元手段（１１０）は動作をロックできるので、復元の途中であっても着座者は任意の位置に背凭れ（２０）および座部（３０）を固定できる。この復元およびロックは、例えば、日本人女性の体型パーセンタイル値５（身長１４７．４ｃｍ、体重４０．６ｋｇ）から日本人男性の体型パーセンタイル９５（身長１７８．１ｃｍ、体重７３．９ｋｇ）までの範囲の着座者に対して可能である。
【発明の効果】
【００３１】
本発明に係る座席装置によれば、リクライニングのために背凭れを傾動させる際に後方への背凭れの移動量を制限しているので、後席の居住空間への背凭れの侵害が少ない。これにより、後席の着座者に圧迫感等の不快感を与えることがない。
【００３２】
また、背凭れと座部との相対姿勢の変化が制限されているので、背凭れと座部との相対姿勢をほぼ維持したままで背凭れの傾動ができる。これにより、背凭れを傾動しても常に着座者の安楽な姿勢を維持することができ、もって、リクライニング状態で長時間に亘って着座しても着座者は疲労することなく安楽な状態でいられる。
【００３３】
また、背凭れと座部との変位態様が揺りかごの揺動のように弧状であるので、力の弱い着座者や小柄で体重の軽い着座者であっても体重が有効に利用されて容易にリクラインできる。
【００３４】
さらに、相対姿勢がほぼ維持されるので、使用者が着座したままで背凭れを傾動した際に背凭れと座部との相対姿勢の変化に起因する衣服のずれ等が生じることなく、もって、着座者に不快感を与えることを防止することができる。
【発明を実施するための最良の形態】
【００３５】
以下、図面に基づき本発明を代表する一実施の形態を説明する。  
図１から図１１までは本発明の一実施の形態を示している。  
本実施の形態に係る座席装置１０は、航空機や鉄道の旅客車両等の乗物用の座席装置であり、背凭れ２０を傾動すると、この背凭れ２０の傾動に連動して座部３０も移動するリクライニング機能を有するものである。
【００３６】
図１は、本発明の実施の形態に係る座席装置の分解斜視図である。図２は、図１に示す座席装置の斜視図である。
【００３７】
図１および図２に示した座席装置１０は航空機用の２人掛け座席装置である。座席装置１０は、背凭れ２０、座部３０、サイドアームレスト４０、センターアームレスト５０を備えている。また、図２には航空機用の座席装置として、シートベルトも示されている。
【００３８】
図１に示すように、座席装置１０はベースフレーム６０（保持手段）を備えており、このベースフレーム６０に背凭れ２０および座部３０が保持されている。ベースフレーム６０には後述する２つで１組をなすスプレーダー１００（ガイドフレーム）が取り付けられている。
【００３９】
左右の各サイドアームレスト４０の内部には飲食物や書籍、その他の小物を載せることができるイン・アームテーブル８０が出し入れ可能に装着されている。このイン・アームテーブル８０を使用するときは、着座者はサイドアームレスト４０の上部を開いてイン・アームテーブル８０を取り出して、自身の前で載置面が水平になる位置まで倒せばよい。
【００４０】
また、サイドアームレスト４０には腕を載せたときに指が触れる位置に操作レバー９０が設けられている。この操作レバー９０は、背凭れ２０を後方に傾倒してリクライニングしたり、傾倒している背凭れ２０を最も起立した元の位置（基準位置）に向かって戻したりするなど、背凭れ２０の位置を調節する際に引くようにして操作するものである。この操作によって後述する油圧シリンダー１１０（復元手段）の動作が調節される。
【００４１】
図３は、図１におけるスプレーダーを取り付けたベースフレームを示す斜視図である。図４は、図３に示おけるスプレーダーとベースフレームの一部とを示す斜視図である。
【００４２】
図３に示すように、ベースフレーム６０は、航空機の客室内の床に固定される脚部６２と、当該脚部６２に固定された補強部材６１と、脚部６２の上部に平行に配設されたシャフト６３およびシャフト６４とから成っている。シャフト６３は金属の中空シャフトであり、座部３０の前端側に配置されている。一方、シャフト６４は座部３０の後端部よりも後方に位置し、シャフト６３よりも僅かに低い位置に配置されている（図１０参照）。
【００４３】
スプレーダー１００は１座席につき２つ使用されるので、２人掛けの座席装置である本実施の形態においては、２座席分である４本のスプレーダー１００がシャフト６３，６４に固定されている。４本のスプレーダー１００は全て同一形状であり、それぞれが平行に配置されている。左右両端のスプレーダー１００はそれぞれサイドアームレスト４０内に配置されており、中央の２本のスプレーダー１００はセンターアームレスト５０に隠れる位置に配置されている。
【００４４】
スプレーダー１００は、全体の大まかな形状が三日月状である金属製の板状のフレームであり、シャフト６３およびシャフト６４の上に立てるように掛け渡して固定されている。スプレーダー１００の一端部がシャフト６３の上に固定されており、この一端部ともう一方の端部との間の中間部分がシャフト６４に固定されている。中間部分からもう一方の端部までは上方に向かって弧状の形状を成している。
【００４５】
各スプレーダー１００には３つの貫通した長孔であるガイド孔１０１，１０２，１０３が形成されている。ガイド孔１０１は、シャフト６４に固定された中間部分よりも高い位置にある先端部に弧状に形成されている。ガイド孔１０２は、中間部分から上記ガイド孔１０１が形成された先端部に向かって弧状に形成されている。
【００４６】
ガイド孔１０３はシャフト６３に固定された端部から上記の中間部に向かって直線状に形成されている。このガイド孔１０３はボトムフレーム３００の移動をガイドする。シャフト６３には油圧シリンダー１１０の一端部が取り付けられている。油圧シリンダー１１０の取り付け位置等に関する説明は後述する。
【００４７】
これらガイド孔１０１，１０２，１０３の位置や形状によって背凭れ２０の傾動行程が限定される。これにより、後述するようにスプレーダー１００および連結板３１０によって連結されたシートバックフレーム２００とボトムフレーム３００とのなす角度の変化、すなわち、背凭れ２０の背当て面と座部３０の座面との成す角度の変化を所定の角度範囲内に制限してシートバックフレーム２００とボトムフレーム３００との相対姿勢を維持することができる。所定の角度範囲とは、例えば６．６°であり、基準位置におけるシートバックフレーム２００とボトムフレーム３００とのなす角度を９６．９°とすると最傾倒位置での角度は１０３．５°である。シートバックフレーム２００とボトムフレーム３００とのなす角度の変化は、後方に移動する背凭れ２０の移動量に係っている。
【００４８】
また、限定された傾動行程によって、連結されたシートバックフレーム２００とボトムフレーム３００とからなるメインフレームが傾動する際のメインフレーム全体の変位態様が揺りかごの揺動のように弧状になる。さらに、傾動の際に、後方に移動する背凭れ２０の上部２０ｕの移動量を所定量以内に制限することができる。この所定量は、例えば後述するように１３ｃｍである。なお、背凭れ２０のうち上部２０ｕが最も大きく後方へ移動するので、制限は上部２０ｕの移動量に対して定める。
【００４９】
図５は、背凭れの構造を示す分解斜視図である。
【００５０】
上記の背凭れ２０は骨格となる金属製のシートバックフレーム２００を内蔵しており、このシートバックフレーム２００を覆い被せるように背凭れ２０の背面部および背当て部が装着されている。背当て部にはクッション部材が使用されており、その表面である背当て面は、人間工学に基づいて着座者に安楽感を齎す形状に形成されている。また、クッション部材の硬さ等も安楽感を齎すように選択されている。シートバックフレーム２００の下端部２１０は、上記のスプレーダー１００および後述する金属製の連結板３１０（連結手段）に連結されている。
【００５１】
スプレーダー１００は、ガイド孔１０１の部分でカラー１３１、ボルト１３２、ベアリング１３３（嵌入部）、座金１３４等を介して下端部２１０に連結されている。スプレーダー１００が下端部２１０に連結された状態では、ベアリング１３３がガイド孔１０１に嵌入している。
【００５２】
下端部２１０の先端部には貫通孔２２１があり、この部分に座金２２２、カラー２２３、およびピン２２４によって連結板３１０の上端部が連結されている。これにより、シートバックフレーム２００は連結板３１０との連結部分で、ピン２２４を回動の中心軸とする回動が可能である。
【００５３】
また、連結板３１０のこの連結部分は、後述するようにスプレーダー１００のガイド孔１０２が形成された部分とも連結されている。シートバックフレーム２００が連結板３１０によって後述のボトムフレーム３００に連結され、ボトムフレーム３００とともにスプレーダー１００に連結された後は、連結板３１０との連結部分でのシートバックフレーム２００の変位は所定の範囲内に制限される。
【００５４】
図６は、図５における連結板とともに示すボトムフレームの分解斜視図である。
【００５５】
上記の座部３０は骨格となる金属製のボトムフレーム３００を内蔵している。ボトムフレーム３００は、クッション部材を装着する装着フレーム３０１と、この装着フレーム３０１を金具によって取り付けて、保持させるためのシャフト３３０，３４０を有している。
【００５６】
クッション部材の表面である座面は人間工学に基づいて着座者に快適な座り心地を齎す形状に形成されている。また、クッション部材の硬さ等も快適な座り心地を齎すように選択されている。
【００５７】
シャフト３３０およびシャフト３４０は平行に配設されており、シャフト３４０は座部３０の前寄りに配置されている。シャフト３３０，３４０はそれぞれ両端部に上記の連結板３１０が固定されている。連結板３１０は、上記の上端部と異なる一端部をボルト、ナット等によってシャフト３４０に取り付けられている。この一端部には貫通孔３１８が開いている。この貫通孔３１８の位置にはベアリング３２０（嵌入部）がカラー３１９、座金３２１およびボルト３２３によって取り付けられている。
【００５８】
このベアリング３２０は、図４および図５に示したガイド孔１０３に嵌入する部分である。このベアリング３２０および上記のベアリング１３３は、背凭れ２０が傾動するときに、それぞれガイド孔１０３，１０１内をスムーズにスライドする。
【００５９】
また、連結板３１０はシャフト３３０に対してもボルト、ナット等によって取り付けられている。連結板３１０は、このシャフト３３０との取り付け位置から後方に向かって上記の上端部まで斜め上方に延びている。
【００６０】
この上端部は、上記のようにシートバックフレーム２００に連結されている。また、貫通孔３１１が開いており、ベアリング３１３（嵌入部）がスペーサ３１２、座金３１４、ピン３１５およびボルト３１６によって取り付けられている。このベアリング３１３は、図３ないし図５に示したスプレーダー１００のガイド孔１０２に嵌入する部分であり、背凭れ２０が傾動するときには、ガイド孔１０２内をスムーズにスライドする。装着フレーム３０１の後部が取り付けられるシャフト３３０には上記のように油圧シリンダー１１０の一端が連結されている。
【００６１】
図７は、図３における油圧シリンダーの取り付け部分を拡大して示す拡大斜視図である。
【００６２】
ベースフレーム６０のシャフト６３には油圧シリンダー１１０のロッド１１７を支持するための軸受け１４０が取り付けられている。この軸受け１４０は、シャフト６３に固定された軸受け枠１４４に支持されている。軸受け１４０は、軸受け枠１４４に支持された状態で自身の軸心を中心にして回転できる。軸受け１４０には軸心に直交する方向に軸受け孔１４１が貫通している。
【００６３】
ロッド１１７の先端部１１８は螺子が切られた螺子部であり、この螺子部の中間にストッパー１１９が設けられている。ロッド１１７は、ストッパー１１９よりも先の部分が軸受け孔１４１に挿入され、ナット１４２と座金１４３とによって軸受け１４０に固定されている。ロッド１１７はこの軸受け１４０を介して操作ケーブル１２０に連結されている。
【００６４】
操作ケーブル１２０は油圧シリンダー１１０の動作を調節するためのものであり、シャフト６３の内部を通ってサイドアームレスト４０の内部に至り、上記の操作レバー９０に接続されている（図３参照）。この操作レバー９０の操作をすることにより、油圧シリンダー１１０の動作をロックしたり、また、動作のロック状態を解除したりすることができる。
【００６５】
油圧シリンダー１１０のもう一方の端部１１１はボトムフレーム３００のシャフト３３０に連結されている。シャフト３３０には連結金具１５０が固定されている。この連結金具１５０は、先端に貫通孔が形成された板状の連結部１５１を有している。油圧シリンダー１１０の端部１１１には、連結部１５１を挟むための間隙１１２が形成されており、この間隙１１２に連結部１５１を挟んだ状態でボルト１１５とナット１１６とによって固定されている。
【００６６】
メインフレームは、背凭れ２０が最も起立した基準位置から最も傾倒した最傾倒位置まで傾動できる。メインフレームが基準位置にないときは、油圧シリンダー１１０はメインフレームを基準位置に復元するように動作する。メインフレームが基準位置にある場合には、操作レバー９０の操作によって油圧シリンダー１１０のロックを解除してから、油圧シリンダー１１０からの復元方向の力に逆らって背凭れ２０を押すことにより、すなわち背凭れ２０を傾倒させる方向に力を加えることにより、背凭れ２０を最傾倒位置までの任意の位置まで傾動させることができる。
【００６７】
また、油圧シリンダー１１０はメインフレームの位置にかかわらず、基準位置から最傾倒位置までの任意の位置でロックすることができる。油圧シリンダー１１０をロックしたときは、油圧シリンダー１１０による復元のみならず外力によるシートバックフレーム２００の傾動もロックされるので、背凭れ２０および座部３０の状態が固定される。
【００６８】
上記のような油圧シリンダー１１０の復元およびロックは、例えば、Government Consumer Safety Research  によるＡＤＵＬＴＤＡＴＡ(The Handbook of Adult Anthropometric and Strength Measurements)に掲載された日本人の体型パーセンタイルで示した場合、日本人女性の体型パーセンタイル値５（身長１４７．４ｃｍ、体重４０．６ｋｇ）から日本人男性の体型パーセンタイル値９５（身長１７８．１ｃｍ、体重７３．９ｋｇ）までの範囲（表１参照）の着座者に対して特に有効に機能する性能を有するものである。これにより、体重の軽重にかかわらずほとんど全ての着座者に対応することができる。
【００６９】
【表１】
0004624689.tif 000002
【００７０】
以上説明したように、座席装置１０は、リクライニングの際に相対姿勢をほぼ維持した状態で揺りかごの揺動のように弧状に傾動できる。
【００７１】
次に、図８から図１０までならびに図１２および図１３を参照しながら本実施の形態と従来の座席装置とにおけるリクライニングの前後の着座者の着座姿勢を比較して説明する。
【００７２】
図８は、着座者が自然に生理的に前湾した姿勢で安楽に着座している状態を説明する説明図である。図９は、本実施の形態におけるリクライニングの前後の着座者の着座姿勢を示す模式図である。図１０は、本実施の形態におけるリクライニングの前後の着座者の腰椎部付近の変化を説明する説明図である。図１２は、従来の座席装置におけるリクライニングの前後の着座者の着座姿勢を示す模式図である。図１３は、従来の座席装置におけるリクライニングの前後の着座者の腰椎部付近の回転を説明する説明図である。
【００７３】
図８に示した座席装置１０は、背凭れ２０が基準位置にある場合を示している。この状態の座席装置１０は、着座者の骨盤４００付近を２方向からサポートして着座者に安楽感を与えている。
【００７４】
一方向からのサポートは、背凭れ２０の下部による矢印Ａ方向へのサポートである。これによって着座者の腸骨４０１、および第３腰椎と第４腰椎の付近がサポートされている。もう一つの方向からのサポートは、座部３０の後端部による矢印Ｂ方向へのサポートである。これによって着座者の仙骨４０２がサポートされている。
【００７５】
このようなサポートは、人間工学的な解析に基づいて形成された背凭れ２０の背当て面の形状および座部３０の座面の形状、並びに背凭れ２０と座部３０との相対姿勢から得られている。これにより、着座者は自然に生理的に前湾した安楽な姿勢で着座できる。
【００７６】
図１２には、前後に配設された２つの従来の座席装置１０Ａが示されており、前方の座席装置１０Ａには背凭れ２０Ａを基準位置まで起こした状態で乗客が着座している。この状態は、図８を参照して説明した状態と同一であり、着座者が安楽感を得られる姿勢で着座している状態である。
【００７７】
後方の座席装置１０Ａには背凭れ２０Ａを傾倒したリクライニング状態で乗客が着座している。この状態では、大腿部が延びている方向と上半身が起きている方向との成す角度が前方の座席装置１０Ａに着座している着座者の角度と明らかに異なっている。
【００７８】
また、ベースフレームの脚部６２Ａが床７０に固定されている位置を基準にして後方への背凭れ２０Ａの移動量を見ると、リクライニング状態では背凭れ２０Ａの上部が大きく後方に移動していることがわかる。この移動量は１５ｃｍ（約６インチ）から２８ｃｍ（約１１インチ）が一般的である。これにより、リクライニング状態にある座席装置１０Ａの直後の座席装置に着座している着座者の居住空間が大きく侵害されることになる。
【００７９】
この着座者の着座姿勢の違いが図１３に示されている。着座者の着座姿勢が変化しても、着座者の骨盤４００の位置は変わっていないが、骨盤４００に繋がっている腰椎４１０が骨盤４００との接続部分を中心にして回転するように移動していることがわかる。これにより、リクライニング状態の着座者の姿勢はリクライニング以前の自然に生理的に前湾した安楽な姿勢ではなくなり、腰椎４１０付近に負荷が掛かる姿勢になるので、この姿勢が長時間続くと返って疲労が蓄積することになる。
【００８０】
このような、着座姿勢の変化は、背凭れ２０Ａと座部３０Ａとの相対姿勢が安楽感を齎す基準位置での相対姿勢から大きく変化してしまうことに起因している。具体的には、背凭れ２０Ａの背当て面と座部３０の座面とのなす角度が、基準位置での角度から大きく開いてしまうからである。
【００８１】
一方、図９は、本実施の形態にかかる座席装置１０が前後に２つ配設された様子を示しており、前方の座席装置１０には背凭れ２０を基準位置まで起こした状態で乗客が着座している。この状態は、図８について説明した状態と同一であり、着座者が安楽感を得られる姿勢で着座している状態である。
【００８２】
後方の座席装置１０には背凭れ２０を傾倒したリクライニング状態で乗客が着座している。この状態を見ると、図１２の座席装置１０Ａの場合とは異なり、大腿部が延びている方向と上半身が起きている方向との成す角度には、それほどの変化がないことがわかる。これは、メインフレームを基準位置から最傾倒位置まで傾倒してもシートバックフレーム２００とボトムフレーム３００との相対姿勢の変化が大きくないので、背凭れ２０と座部３０との相対姿勢が安楽感を齎す基準位置での相対姿勢からほとんど変わっていないことによる。
【００８３】
また、ベースフレーム６０の脚部６２が床７０に固定されている位置を基準にして後方への背凭れ２０の移動量を見ると、図１２の座席装置１０Ａに比して、リクライニング状態での移動量が小さいことがわかる。本実施の形態では、この移動量を上記の一般的な１５ｃｍよりも小さい値、例えば、１３ｃｍ（約５インチ）に制限して、１座席分の座席装置１０と居住空間とが占める占有スペースを減少させても安楽感に影響を与えることなく良好な居住性を提供することができる。
【００８４】
さらに、リクライニング状態にある座席装置１０の背凭れ２０が後方の居住空間へ侵入する度合いを明らかに減少させることができる。これにより、前方の席がリクライニング状態にあるときに後席の着座者が感じる圧迫感等の不快感を減少させることができる。
【００８５】
この着座者の着座姿勢の違いが図１０に示されている。シートバックフレーム２００の傾動行程がスプレーダー１００のガイド孔１０１とガイド孔１０２とによって制限されているので、基準位置から背凭れ２０を傾倒するときに後方に向かう背凭れ２０の上部の移動量が少ない量に制限されていることがわかる。
【００８６】
また、図９を併せて参照すると、ガイド孔１０１とガイド孔１０２とによる制限は、メインフレームの動きを揺りかごの揺動のように弧状に制限していることがわかる。このため、背凭れ２０を傾倒してリクライニングしても、骨盤４００の位置が僅かに高くなるとともに着座者がやや上向きになるだけであり、従来技術に見られるような腰椎部での回転が生じない。これにより、着座者自身の姿勢は基準位置での安楽な着座姿勢とほぼ同じ姿勢が常に維持されるので、安楽感がそのまま持続される。したがって、リクライニング状態での着座が長時間に亘っても、着座者にかかる負担が少ないので、着座者に蓄積する疲労が少ない。
【００８７】
さらに、リクライニングの際には、着座者が油圧シリンダー１１０のロックを解除した状態で先ず背中を背凭れ２０に押し付けて背凭れ２０を傾動させるが、背凭れ２０の傾倒が大きくなるにしたがって着座者の体重が自然に背凭れ２０にかかるので、力の弱い着座者や小柄で体重の軽い着座者であっても比較的容易に背凭れ２０を傾動させることができる。
【００８８】
また、シートバックフレーム２００とボトムフレーム３００との相対姿勢が維持されていることによって着座者の着座姿勢が維持されることは、背凭れ２０と着座者の背中とのずれがほとんどないことになり、もって、背凭れ２０を傾倒する際に着座者の着衣が捲くれ上がることがない。
【００８９】
図１１は、本実施の形態にかかる座席装置の背凭れおよび座部それぞれの角度変化を説明する説明図である。
【００９０】
人間が座席装置１０に着座したときに、どのような着座姿勢になるかによって安楽感や長時間座ったときの疲労の蓄積度が異なってくる。人間が座席装置１０に着座した際に安楽感を得られる姿勢は、上半身が自然に生理的に前湾した姿勢である。着座姿勢は座席装置１０の背凭れ２０や座部３０の形状、硬さ等にも影響されるが、最も影響するのは背凭れ２０の背当て面２１と座部３０の座面３１との成す角度である。
【００９１】
これらの角度には安楽姿勢の推奨値が確認されている(Diffrient, n., A. R. Tilley and J. C. Bardagjy, 1978: Humanscale
1/2/3. The MIT Press, Cambridge)。これによると、垂直からの背当て面角度および水平からの座面角度はそれぞれ、
背当て面角度＞２８°
座面角度＞１５°
である。
【００９２】
本実施の形態においては、背当て面角度および座面角度をそれぞれ、
背当て面角度＜３１°
座面角度＜１９°
の範囲で変位可能であり。背凭れ２０と座部３０との相対姿勢の変化を、すなわち、シートバックフレーム２００とボトムフレーム３００とのなす角度の変化を、上記所定の角度範囲に制限し、かつ、背当て面角度および座面角度を上記の推奨値を満たすようにガイド孔１０１，１０２，１０３の位置および形状等を定めることによって、着座者は如何なるリクライニング状態であっても長時間に亘って安楽に着座していることができる。
【００９３】
なお、本実施の形態によれば、リクライニングの際に後席側に移動する背凭れ上部の移動する量が従来の座席装置よりも小さいので、１座席分の座席装置本体と居住空間との占める占有スペースを狭くすることができる。すなわち、座席装置間の取り付けピッチを狭くすることができる。このため、航空機や車両等の限られた空間での座席数を増やすことができ、もって、採算性の向上にもつながることとなる。例えば、従来の航空機のエコノミークラス座席よりも１クラス上のいわゆるプレミアムエコノミー座席は通常、８６４ｍｍ（３４インチ）から９９０ｍｍ（３９インチ）のピッチで配設されるが、本実施の形態はこのピッチを狭めたプレミアムエコノミー座席用の座席装置として好適である。
【図面の簡単な説明】
【００９４】
【図１】本発明の実施の形態に係る座席装置の分解斜視図である。
【図２】図１に示す座席装置の斜視図である。
【図３】図１におけるスプレーダーを取り付けたベースフレームを示す斜視図である。
【図４】図３におけるスプレーダーとベースフレームの一部とを示す斜視図である。
【図５】背凭れの構造を示す分解斜視図である。
【図６】図５における連結板とともに示すボトムフレームの分解斜視図である。
【図７】図３における油圧シリンダーの取り付け部分を拡大して示す拡大斜視図である。
【図８】着座者が自然に生理的に前湾した姿勢で安楽に着座している状態を説明する説明図である。
【図９】本実施の形態におけるリクライニングの前後の着座者の着座姿勢を示す模式図である。
【図１０】本実施の形態におけるリクライニングの前後の着座者の腰椎部付近の変化を説明する説明図である。
【図１１】本実施の形態にかかる座席装置の背凭れおよび座部それぞれの角度変化を説明する説明図である。
【図１２】従来の座席装置におけるリクライニングの前後の着座者の着座姿勢を示す模式図である。
【図１３】従来の座席装置におけるリクライニングの前後の着座者の腰椎部付近の回転を説明する説明図である。
【符号の説明】
【００９５】
１０…座席装置
１０Ａ…座席装置
２０…背凭れ
２０Ａ…背凭れ
２０ｕ…上部
２１…背当て面
３０…座部
３０Ａ…座部
３１…座面
４０…サイドアームレスト
５０…センターアームレスト
６０…ベースフレーム
６１…補強部材
６２…脚部
６２Ａ…脚部
６３…シャフト
６４…シャフト
７０…床
７０Ａ…床
８０…イン・アームテーブル
９０…操作レバー
１００…スプレーダー
１０１…ガイド孔
１０２…ガイド孔
１０３…ガイド孔
１１０…油圧シリンダー
１１１…端部
１１２…間隙
１１５…ボルト
１１６…ナット
１１７…ロッド
１１８…先端部
１１９…ストッパー
１２０…操作ケーブル
１３１…カラー
１３２…ボルト
１３３…ベアリング
１３４…座金
１４０…軸受け
１４１…軸受け孔
１４２…ナット
１４３…座金
１４４…軸受け枠
１５０…連結金具
１５１…連結部
２００…シートバックフレーム
２１０…下端部
２２１…貫通孔
２２２…座金
２２３…カラー
２２４…ピン
３００…ボトムフレーム
３０１…装着フレーム
３１０…連結板
３１１…貫通孔
３１２…スペーサ
３１３…ベアリング
３１４…座金
３１５…ピン
３１６…ボルト
３１８…貫通孔
３１９…カラー
３２０…ベアリング
３２１…座金
３２３…ボルト
３３０…シャフト
３４０…シャフト
４００…骨盤
４０１…腸骨
４０２…仙骨
４１０…腰椎
【図１】
0004624689.tif 000003
【図２】
0004624689.tif 000004
【図３】
0004624689.tif 000005
【図４】
0004624689.tif 000006
【図５】
0004624689.tif 000007
【図６】
0004624689.tif 000008
【図７】
0004624689.tif 000009
【図８】
0004624689.tif 000010
【図９】
0004624689.tif 000011
【図１０】
0004624689.tif 000012
【図１１】
0004624689.tif 000013
【図１２】
0004624689.tif 000014
【図１３】
0004624689.tif 000015